(57)【要約】【課題】  レンズ鏡筒中心と撮像素子に対しての傾きを少なくしてレンズフードを取り付けることにより、レンズフードの回転を防ぐ車載カメラを提供する。【解決手段】  本車載カメラは、上レンズフードとレンズ鏡筒を備え、前記上レンズフードが凹部を有する時は、前記レンズ鏡筒は凸部を有し、前記上レンズフードが凸部を有する時は、前記レンズ鏡筒は凹部を有し、前記上レンズフードの軸及び前記レンズ鏡筒の軸が一致するように、前記凹部と凸部が嵌合された構造を有する。又、下レンズフードを更に備え、下レンズフードは第１の引っ掛け部を有し、レンズホルダ側にはＴ型の形状をした第２の引っ掛け部を有し、下レンズフードが前記レンズ鏡筒に対して左右方向にずれないように、第１の引っ掛け部と第２の引っ掛け部が組み合わせられた構造を有してもよい。更に、上レンズフードと下レンズフードの間にフィルタを備えてもよい。【選択図】図１
2010079123.tif 000002
【特許請求の範囲】
【請求項１】
上レンズフードとレンズ鏡筒を備え、
前記上レンズフードが凹部を有する時は、前記レンズ鏡筒は凸部を有し、
前記上レンズフードが凸部を有する時は、前記レンズ鏡筒は凹部を有し、
前記上レンズフードの軸及び前記レンズ鏡筒の軸が一致するように、前記凹部と凸部が嵌合された構造を有する、車載カメラ。
【請求項２】
下レンズフードを更に備え、
前記下レンズフードは第１の引っ掛け部を有し、
レンズホルダ側にはＴ型の形状をした第２の引っ掛け部を有し、
前記下レンズフードが前記レンズ鏡筒に対して左右方向にずれないように、前記第１の引っ掛け部及び前記第２の引っ掛け部が組み合わせられた構造を有する、請求項１記載の車載カメラ。
【請求項３】
上レンズフードと下レンズフードの間にフィルタを更に備える、請求項１又は２記載の車載カメラ。
【発明の詳細な説明】
【技術分野】
【０００１】
本発明は、車載カメラへのレンズフードの取り付け構造に関する。
【背景技術】
【０００２】
対象物の認識を行うステレオカメラ装置で車の安全走行を支援する車載システムにおいて、レンズフードで不要光をカットし、特定の光線状況下での画質劣化のバラツキを少なくすることが重要である。
【０００３】
ここで、レンズに対する角型フードの装着を突起と凹部との係合によって取り付け角度を位置決めしつつ回り止めを行い、正規位置への装着性を改善する技術がある（特許文献１参照）。又、ベース板のカメラ面定する場所を限定し、ベース板の両端の取り付け補助部材に可塑性の材料を用いることにより、ベース板の面精度を確保し、カメラの大型化に対し軽量化を図る大型ステレオカメラの取り付け構造に関する技術もある（特許文献２参照）。
【０００４】
【特許文献１】特開平６−３０１０８０号公報
【特許文献２】特開２００３−８４３５７号公報
【発明の開示】
【発明が解決しようとする課題】
【０００５】
特許文献１によれば、レンズフード１ａと１ｂが２本のねじで固定されているため、ねじ穴部とねじ部に隙間によりレンズフード１ａと１ｂが回転してしまう、という課題がある。又、特許文献２によれば、レンズフード１ａと１ｂが２本のねじで固定されているため、ねじ穴部とねじ部の隙間によりレンズフード１ａと１ｂが回転してしまう、という課題がある。
【０００６】
そこで、本発明の目的は、レンズ鏡筒中心と撮像素子に対しての傾きを少なくしてレンズフードを取り付けることにより、レンズフードの回転を防ぐ車載カメラを提供することにある。
【課題を解決するための手段】
【０００７】
上記課題を解決するため、本発明の望ましい態様の一つは次の通りである。
【０００８】
本車載カメラは、上レンズフードとレンズ鏡筒を備え、上レンズフードが凹部を有する時は、レンズ鏡筒は凸部を有し、上レンズフードが凸部を有する時は、レンズ鏡筒は凹部を有し、上レンズフードの軸及びレンズ鏡筒の軸が一致するように、凹部と凸部が嵌合された構造を有する。又、下レンズフードを更に備え、下レンズフードは第１の引っ掛け部を有し、レンズホルダ側にはＴ型の形状をした第２の引っ掛け部を有し、下レンズフードがレンズ鏡筒に対して左右方向にずれないように、第１の引っ掛け部及び第２の引っ掛け部が組み合わせられた構造を有してもよい。
【発明の効果】
【０００９】
本発明によれば、レンズ鏡筒中心と撮像素子に対しての傾きを少なくしてレンズフードを取り付けることにより、レンズフードの回転を防ぐ車載カメラを提供することができる。
【発明を実施するための最良の形態】
【００１０】
以下、実施例について説明する。
【００１１】
図１は、車載カメラの各部品の組合せ図である。ここでは、レンズホルダ取り付け方と、レンズフードとレンズホルダ組立部の図の例を示している。
【００１２】
当該車載カメラは、画像を取り込むレンズ鏡筒９，不要光を遮る上レンズフード１，下レンズフード３，レンズを固定するレンズホルダ５、及び、レンズフード固定ネジ１０から構成される。
【００１３】
レンズ鏡筒９は複数のレンズ構成により画像情報を撮像素子１２に導く。
【００１４】
上レンズフード１は、レンズ鏡筒９の光軸線に対した距離に上レンズフード凸部２を設け、上レンズフード１と下レンズフード３を同時にレンズホルダ５に固定するレンズフード固定ネジ１０用の穴を備える。
【００１５】
図２は、図１で説明した上レンズフード１、及び下レンズフード３の嵌合部位を示す図である。
【００１６】
下レンズフード３は、下レンズフードの引っ掛け部４（第１の引っ掛け部）とレンズホルダＴ部７（第２の引っ掛け部）の部分で嵌合される。
【００１７】
図３は、レンズフードの組付け方を示す図である。まず、レンズホルダＴ部７に、下レンズフードの引っ掛け部４を引っ掛ける。次に、上レンズフード凸部２とレンズホルダ凹部６を合致させることにより、光軸を精度良く組み立てることができる。
【００１８】
上記部品構造として、上レンズフード１と下レンズフード２の固定構造が逆の案でもよい。
【００１９】
図４は、レンズホルダとレンズフードの引っ掛け部の模式図である。ここでは、下レンズフードの引っ掛け部４の形状を引っ掛け部１箇所で構成した例を示している。
【００２０】
従来のレンズフードの組付け方では、鏡筒に対し左右上下のずれと、撮像素子に対して角度ずれを生じて組み立てられてしまうが、本実施例によれば、上レンズフード凸部２と下レンズフードの引っ掛け部４により左右位置と上下位置を自動修正し、レンズフードと鏡筒が同心で傾きが少ない位置に組み立てる構造とすることができる。
【図面の簡単な説明】
【００２１】
【図１】車載カメラの各部品の組合せ図。
【図２】上レンズフード１、及び下レンズフード３の嵌合部位を示す図。
【図３】レンズフードの組付け方を示す図。
【図４】レンズホルダとレンズフードの引っ掛け部の模式図。
【符号の説明】
【００２２】
１  上レンズフード
２  上レンズフード凸部
３  下レンズフード
４  下レンズフードの引っ掛け部
５  レンズホルダ
６  レンズホルダ凹部
７  レンズホルダＴ部
８  カメラブロック
９  レンズ鏡筒
１０  レンズフード固定ネジ
１１  フィルタ
１２  撮像素子
【図１】
2010079123.tif 000003
【図２】
2010079123.tif 000004
【図３】
2010079123.tif 000005
【図４】
2010079123.tif 000006